(57)【要約】【課題】車の安全運転に支障を引き起こすことが無く、しかも簡単、かつ、確実に眠気を覚ます。【解決手段】本発明は、眠気覚まし具であって、軸と、軸に設けられた凸部とを具備する眠気覚まし具である。【選択図】図１
2020031699.tif 000002
【特許請求の範囲】
【請求項１】
眠気覚まし具であって、
軸と、
前記軸に設けられた凸部と
を具備する眠気覚まし具。
【請求項２】
前記凸部は弾性素材及び／又は可撓性素材で構成されてなる
請求項１の眠気覚まし具。
【請求項３】
前記凸部が歯間に出し入れできるよう構成されてなる
請求項１又は請求項２の眠気覚まし具。
【請求項４】
眠気覚まし具であって、
分岐を有する軸と、
前記分岐の間に張設された糸と
を具備する眠気覚まし具。
【発明の詳細な説明】
【技術分野】
【０００１】
本発明は眠気覚まし具に関する。
【背景技術】
【０００２】
車両の運転中における眠気は事故に繋がるおそれがあり、大変危険である。そのため、運転中の眠気を覚ます道具が考案されている。
【０００３】
例えば、特許文献１には、運転シートに座った利用者の背筋を押圧突起により押圧刺激する眠気防止器具が開示されている。
【先行技術文献】
【特許文献】
【０００４】
【特許文献１】特開２００３−１１１８４７号公報
【発明の概要】
【発明が解決しようとする課題】
【０００５】
特許文献１の眠気防止器具は、シートの背凭れ部分に取り付けて使用される。利用者は、車両の運転シートに前記眠気防止器具を取り付ける。前記眠気防止器具を取り付ける作業は利用者にとって煩雑である。又、前記押圧突起による押圧刺激と言った程度では、眠気覚ましには有効ではなかった。
【０００６】
本発明が解決しようとする課題は、車の安全運転に支障を引き起こすことが無く、しかも簡単、かつ、確実に眠気を覚ますことである。
【課題を解決するための手段】
【０００７】
本発明者は前記課題を解決する為の検討を行っていたものの、中々、良い考えが浮かんで来なかった。
【０００８】
ところで、本発明者は、所謂、歯間ブラシ（歯間清掃ブラシ）を使っていた。車の運転中にも歯間ブラシを使っていた処、不思議にも、眠気が催して来なかった。
【０００９】
ひょっとすると、歯間ブラシを使ったならば、眠気覚ましになるかとの啓示が得られた。
【００１０】
そこで、車内に歯間ブラシを用意しておき、眠気を催した時に、歯間ブラシを使ってみることにした。
【００１１】
その結果、見事に、眠気が覚めた。
そこで、一社の歯間ブラシのみでなく、各社の歯間ブラシで試した処、やはり、同様な結果であった、
【００１２】
このようなことから、本願発明者は、歯間ブラシの使用が眠気覚ましに有効なのは、歯あるいは歯肉が効果的に刺激され、これによって眠気が覚めた（眠気が防止された）のであろうかと推察するに至った。
【００１３】
上記知見を基にして、本発明が成されるに至った。
【００１４】
本発明は、眠気覚まし具であって、軸と、前記軸に設けられた凸部とを具備する眠気覚まし具を提供する。
【００１５】
本発明は、前記眠気覚まし具であって、前記凸部は弾性素材及び／又は可撓性素材で構成されてなる眠気覚まし具を提供する。
【００１６】
本発明は、前記眠気覚まし具であって、前記凸部が歯間に出し入れできるよう構成されてなる眠気覚まし具を提供する。
【００１７】
本発明は、眠気覚まし具であって、分岐を有する軸と、前記分岐の間に張設された糸とを具備する眠気覚まし具を提供する。
【発明の効果】
【００１８】
睡魔が襲って来た際に、本発明の眠気覚まし具を歯と歯との間に出し入れすることによって、眠気が覚めるようになる。この作業は非常に簡単である。そして、車の安全運転に寄与できる。本発明の眠気覚まし具を歯と歯との間に出し入れする作業に神経を使うことがないから、車の安全運転に支障を引き起こさない。
【図面の簡単な説明】
【００１９】
【図１】本発明の第１実施形態の概略図。
【図２】本発明の第１実施形態の使用方法を説明する図。
【図３】本発明の第１実施形態の変形例の概略図。
【図４】本発明の第２実施形態の概略図。
【発明を実施するための形態】
【００２０】
第１の発明は、眠気覚まし具である。前記眠気覚まし具は、軸と、前記軸に設けられた凸部とを具備する。
【００２１】
前記凸部は、好ましくは、弾性素材及び／又は可撓性素材で構成されてなる。その理由は、前記眠気覚まし具、特に、前記凸部を歯と歯との間に挿入しようとした時に、前記凸部が歯と歯との間に入り易いからである。前記弾性素材としては、例えばシリコンゴム等の合成または天然ゴム、エラストマー、或いは軟性樹脂などが挙げられる。可撓性素材としては、例えば天然または合成繊維材などが挙げられる。
【００２２】
前記凸部は、好ましくは、歯間に出し入れできるよう構成される。例えば、前記凸部の先端側が尖っている。その理由は、前記眠気覚まし具、特に、前記凸部を歯と歯との間に挿入しようとした時に、前記凸部が歯と歯との間に入り易いからである。
【００２３】
第２の発明は、眠気覚まし具である。前記眠気覚まし具は分岐を有する軸を具備する。前記眠気覚まし具は、前記分岐の間に張設された糸を具備する。前記糸は、好ましくは、合成繊維及び／又は天然繊維で構成されている。前記糸は、歯間に出し入れできるよう前記軸に張設されている。
【００２４】
以下、本発明が具体的に説明される。下記実施例は本発明の一実施例に過ぎない。本発明は下記実施例に限定されない。すなわち、本発明の特長が大きく損なわれない変形・応用例も本発明に含まれる。
【００２５】
（第１実施形態）
図１は、本発明の第１実施形態の眠気覚まし具１の概略図である。
【００２６】
眠気覚まし具１は軸部１１を具備する。眠気覚まし具１は凸部１２を具備する。
【００２７】
軸部１１は、凸部１２が設けられる第１軸部１１１と、前記第１軸部１１１以外の第２軸部１１２とを具備する。第１軸部１１１の先端側は径が小さい。例えば、先端側が尖っている。先端側が尖っていることによって、歯と歯との間に入り易くなる。勿論、先端側が小さければ、先端が尖ってなくても良い。第２軸部１１２は、利用者の手指によって把持される部分を含む。第１軸部１１１の軸方向の長さは、例えば１ｃｍ〜３ｃｍが好ましい。第２軸部１１２の軸方向の長さは、手指によって把持され得る長さであればよい。例えば１ｃｍ以上である。第１軸部１１１の直径は、歯間よりも小さければよい。例えば、０．５ｍｍ〜２ｍｍである。
【００２８】
凸部１２は、軸部１１の第１軸部１１１に立設（植立）されている。凸部１２は、軸心と直交する方向に突出している。凸部１２の先端側は径が小さい。例えば、先端側が尖っている。先端側が尖っていることによって、歯と歯との間に入り易くなる。勿論、先端側が小さければ、先端が尖ってなくても良い。凸部１２は弾性素材及び／又は可撓性素材で構成されてなる。例えば、天然ゴム、合成ゴム、軟質樹脂、エラストマー、合成繊維、天然繊維等が挙げられる。眠気覚まし具１の歯間挿入部分の直径（第１軸部１１１の直径＋凸部の高さ）が歯間のサイズよりも大きくても、凸部１２の素材が持つ弾性及び／又は可撓性により、凸部１２が歯間に出し入れ可能となる。凸部１２の数は、好ましくは、複数である。しかし、一つでもよい。例えば、図１では、多数の凸部１２が第１軸部１１１に設けられている。凸部１２の高さは、例えば０．０５ｍｍ〜１０ｍｍである。
【００２９】
眠気覚まし具１の使用方法が図２を用いて説明される。
軸部１１の第２軸部１１２を手指で把持する。第１軸部１１１に設けられた凸部１２を歯間に挿入する。そして、凸部１２を歯間で出し入れする。この動作により凸部１２が歯及び／又は歯肉を刺激する。これにより、利用者の眠気が覚める。その理由は次の様に想像される。歯肉の刺激はマッサージ効果がある。マッサージにより血流が良くなると、体内での酸素の供給量が増え、脳が活性化するからである。また、口腔内には多数のツボがあるため、凸部１２により歯肉のツボが刺激されるからである。
【００３０】
第２軸部１１２の形状は、図１のような真っ直ぐな棒状に限定されない。例えば、第２軸部１１２が、平らな部分を有していてもよく（図３（ａ）参照）、Ｌ字型に曲がっていてもよい（図３（ｂ）参照）。
【００３１】
第１実施形態によれば、眠気覚まし具１の凸部１２を歯間に入れて出し入れすることにより、簡単に、利用者の眠気を覚ますことができる。
【００３２】
（第２実施形態）
図４は、本発明の第２実施形態の眠気覚まし具２の概略図である。
眠気覚まし具２は軸部２１を具備する。眠気覚まし具２は糸２２を具備する。
【００３３】
軸部２１は、アーチ状の第１軸部２１１と、第１軸部２１１以外の第２軸部２１２とを具備する。第１軸部２１１はアーチ状であるから、所謂、分岐を有する形状である。前記アーチ形状の代わりにｙ形状、略コ字形状などであっても良い。要するに、後述の糸を張架できる形状であれば良い。第１軸部２１１には糸１２が張設（張架）されている。第２軸部２１２は、利用者の手指によって把持される部分を含む。
【００３４】
第１軸部２１１に張設（張架）された糸２２の長さは、例えば１ｃｍ〜３ｃｍが好ましい。第２軸部２１２の軸方向の長さは、手指によって把持され得る長さであればよい。例えば１ｃｍ以上である。糸２２の直径は０．０５ｍｍ〜０．３ｍｍである。糸２２の素材は、合成繊維、天然繊維等が挙げられる。
【００３５】
眠気覚まし具２の使用方法が説明される。軸部２１の第２軸部２１２を手指で把持する。第１軸部２１１に張設された糸２２を歯間に挿入する。そして、糸２２を歯間で出し入れする。この動作により糸２２が歯及び／又は歯肉を刺激する。これにより、利用者の眠気が覚める。その理由は第１実施形態とほぼ同様である。
【００３６】
第２の実施形態によれば、眠気覚まし具２の糸２２を歯間に入れて出し入れすることにより、簡単に、利用者の眠気を覚ますことができる。
【００３７】
第１の実施形態の眠気覚まし具１と第２の実施形態の眠気覚まし具２とでは、第１の実施形態の方が眠気を覚ます効果が大きかった。第１の実施形態の方が、例えば凸部１２に径の大小（先端側が細く、根本側が太い）も有って、刺激作用が効果的になり、又、凸部１２の数が複数と言うことも有って、刺激される歯肉の部分が広範となるからであろう。又、第１の実施形態の眠気覚まし具１にあっては、使用に際して、それ程、注意力が必要とされなかった。第２の実施形態の眠気覚まし具２の使用に際しては、第１の実施形態の眠気覚まし具１の使用時よりも、注意力が必要であった。この点から、車の運転に注意力を殺がれないことから、第１の実施形態の眠気覚まし具１の方が好ましかった。
【００３８】
以上好ましい実施の形態をあげて本発明を説明したが、本発明は必ずしも上記実施の形態に限定されるものではなく、その技術的思想の範囲内において様々に変形し実施することが出来る。
【符号の説明】
【００３９】
１、２              眠気覚まし具
１１、２１          軸部
１１１、２１１      第１軸部
１１２、２１２      第２軸部
１２                凸部
２２                糸
【図１】
2020031699.tif 000003
【図２】
2020031699.tif 000004
【図３】
2020031699.tif 000005
【図４】
2020031699.tif 000006